(57)【要約】【課題】容器体からキャップを取り外した際に自動的にスポイト筒内へ内容液を吸い込むことができるスポイト容器において、スプリングを内筒の内側に配置することで小型化を図ると同時に、内容液のスプリングへの接触を抑制することができるスポイト容器を提供する。【解決手段】本発明のスポイト容器１は、吐出ピストン１９は、スポイトキャップ３を容器体２から取り外した状態にて、スポイト筒２６内に連通するスポイト部１１の内側開口１１ａを封止する封止突起２５を有し、該封止突起２５は、該封止突起２５の外周面と該内側開口１１ａとの間に、スポイトキャップ３の容器体２への装着状態にて上下に連通する隙間Ｃを形成することを特徴とするものである。【選択図】図１
2015224071.tif 000002
【特許請求の範囲】
【請求項１】
内容液を収容する容器体と、該容器体の口部に着脱自在に装着され、該容器体への装着状態でその内部に垂下するスポイト筒を有するスポイトキャップとからなり、該スポイトキャップを容器体から取り外した際に自動的に内容液をスポイト筒内に吸い上げるとともに、押圧部の押し下げにより、吸い上げた内容液を吐出可能なスポイト容器であって、
前記スポイトキャップは、
前記装着状態で口部に装着される外筒と、該外筒に対して環状壁を介して連結する内筒とを有するキャップ本体部と、
該内筒の内面上部に対して液密に摺動可能な吐出ピストンを有し、該キャップ本体部の内側上部に上下動可能且つ抜け出し不能に係合する前記押圧部と、
前記スポイト筒と、該内筒の内面下部に対して液密に摺動可能な吸い上げピストンとを有し、該内筒の内面下部に上下動可能且つ抜け出し不能に係合するとともに、該口部上端と該環状壁に挟持固定されるスポイト部と、
該内筒の内側に配置され、前記押圧部と前記スポイト部とを相互に離反させる方向に付勢するスプリングとを備え、
前記吐出ピストンは、前記スポイトキャップを容器体から取り外した状態にて、前記スポイト筒内に連通する前記スポイト部の内側開口を封止する封止突起を有し、該封止突起は、該封止突起の外周面と該内側開口との間に、前記装着状態にて上下に連通する隙間を形成することを特徴とするスポイト容器。
【請求項２】
前記封止突起の外周面には、前記隙間を形成する縦溝が形成されている、請求項１に記載のスポイト容器。
【請求項３】
前記内筒における前記内面上部の内径が、前記内面下部の内径よりも大きい、請求項１又は２に記載のスポイト容器。
【請求項４】
前記押圧部は、前記装着状態で前記スポイト部に当接して押し下げ不能に支持される、請求項１〜３のいずれか一項に記載のスポイト容器。
【発明の詳細な説明】
【技術分野】
【０００１】
本発明は、容器体内に収容された化粧水や薬液等の内容液をスポイト機能により取り出すことが可能なスポイト容器に関するものである。
【背景技術】
【０００２】
このようなスポイト容器としては、容器体に装着されたキャップを取り外すことで自動的に内容液をスポイト筒内に吸い上げ、キャップ上部の押し釦（押圧部）を押し下げることで吸い上げた内容液を吐出する構造の容器が知られている（例えば、特許文献１）。
【０００３】
特許文献１のスポイト容器を使用する場合には、先ず、容器体にねじによって装着された内キャップに対し、外キャップを、キャップ取り外し方向に回転させる。その際、外キャップは、内キャップに対し、スプリングによって上方に付勢されている押圧部に対しても回転する。この相対回転に伴い、押圧部が上動し、該押圧部のピストンが、内キャップから起立するシリンダ（内筒）内を上動し、該シリンダ内に連通するスポイト筒内に内容液が吸い上げられる。そして、さらに外キャップを回転させることで、内キャップも外キャップに伴って回転し、キャップを容器体から取り外すことができる。そして、押圧部を押し下げると、スポイト筒内の液体が先端開口から吐出される。
【先行技術文献】
【特許文献】
【０００４】
【特許文献１】実開平７−２２９５８号公報
【発明の概要】
【発明が解決しようとする課題】
【０００５】
ところで、特許文献１に記載されるような従来のスポイト容器は、内筒の外側にスプリングを配置するスペースを確保する必要があり、キャップの小型化が難しかった。そこで、スプリングを、内筒の内側に配置することも考えられるが、その場合には、キャップを容器体から取り外した際に、キャップを９０°以上傾けてしまうと、スプリングに内容液が接触し、スプリングが金属製の場合にはスプリングの腐食を生じてしまう等の問題を生じるおそれがあった。
【０００６】
それゆえ、本発明は、容器体からキャップを取り外した際に自動的にスポイト筒内へ内容液を吸い込むことができるスポイト容器において、スプリングを内筒の内側に配置することで小型化を図ると同時に、内容液のスプリングへの接触を抑制することができるスポイト容器を提供することを目的とする。
【課題を解決するための手段】
【０００７】
上記課題を解決するため、本発明に係るスポイト容器は、内容液を収容する容器体と、該容器体の口部に着脱自在に装着され、該容器体への装着状態でその内部に垂下するスポイト筒を有するスポイトキャップとからなり、該スポイトキャップを容器体から取り外した際に自動的に内容液をスポイト筒内に吸い上げるとともに、押圧部の押し下げにより、吸い上げた内容液を吐出可能なスポイト容器であって、
前記スポイトキャップは、
前記装着状態で口部に装着される外筒と、該外筒に対して環状壁を介して連結する内筒とを有するキャップ本体部と、
該内筒の内面上部に対して液密に摺動可能な吐出ピストンを有し、該キャップ本体部の内側上部に上下動可能且つ抜け出し不能に係合する前記押圧部と、
前記スポイト筒と、該内筒の内面下部に対して液密に摺動可能な吸い上げピストンとを有し、該内筒の内面下部に上下動可能且つ抜け出し不能に係合するとともに、該口部上端と該環状壁に挟持固定されるスポイト部と、
該内筒の内側に配置され、前記押圧部と前記スポイト部とを相互に離反させる方向に付勢するスプリングとを備え、
前記吐出ピストンは、前記スポイトキャップを容器体から取り外した状態にて、前記スポイト筒内に連通する前記スポイト部の内側開口を封止する封止突起を有し、該封止突起は、該封止突起の外周面と該内側開口との間に、前記装着状態にて上下に連通する隙間を形成することを特徴とする。
【０００８】
また、本発明に係るスポイト容器にあっては、前記封止突起の外周面には、前記隙間を形成する縦溝が形成されていることが好ましい。
【０００９】
また、本発明に係るスポイト容器にあっては、前記内筒における前記内面上部の内径が、前記内面下部の内径よりも大きいことが好ましい。
【００１０】
さらに、本発明に係るスポイト容器にあっては、前記押圧部は、前記装着状態で前記スポイト部に当接して押し下げ不能に支持されることが好ましい。
【発明の効果】
【００１１】
本発明によれば、容器体からキャップを取り外した際に自動的にスポイト筒内へ内容液を吸い込むことができるスポイト容器において、スプリングを内筒の内側に配置することで小型化を図ると同時に、内容液のスプリングへの接触を抑制することができるスポイト容器を提供することができる。
【図面の簡単な説明】
【００１２】
【図１】本発明に従うスポイト容器の一実施形態につき、正面視での半断面図である。
【図２】図１のスポイト容器において、装着状態からスポイトキャップを取り外す様子を表す図である。
【図３】図１のスポイト容器において、スポイトキャップを取り外し、押圧部を押し下げた様子を表す図である。
【図４】図１のスポイト容器において、スポイトキャップを取り外し、９０°以上傾けた様子を表す図である。
【発明を実施するための形態】
【００１３】
以下、図面を参照して、本発明のスポイト容器について説明する。図１に示す本発明の一実施形態であるスポイト容器１は、容器体２と、容器体２に対して着脱自在に装着されるスポイトキャップ３とで構成される。また、図１は容器体２の口部５にスポイトキャップ３が装着された装着状態を表している。
【００１４】
容器体２は、内容液を収容する有底円筒状の容器本体部４と、容器本体部４の上端に設けられた円筒状の口部５とからなり、口部５の外周面には、外ねじ部６が設けられている。
【００１５】
スポイトキャップ３は、内キャップ７と外キャップ８とで構成されるキャップ本体部９と、キャップ本体部９の内側上部に上下動可能に配置された押圧部１０と、押圧部１０の下側で上下動可能に配置されたスポイト部１１を備える。
【００１６】
内キャップ７は、容器体２の外ねじ部６に対応する内ねじ部１２を有する筒状の外筒１３と、当該外筒１３の内面から内側に突出する環状壁１４と、環状壁１４から上方に突出する内筒１５を有する。なお、本実施形態においては容器体２に対して外筒１３をねじ係合させる構成としたが、凹凸嵌合により上下に装着及び取り外しを行う構成とすることも可能である。
【００１７】
外キャップ８は、外筒１３の外周面に嵌合固定されるとともに内キャップ７の外周面に沿う側壁１６と、側壁１６の上端から内側に延び、中央に開口１７ａが形成された天壁１７とで構成されている。
【００１８】
押圧部１０は、押圧部材１８と、押圧部材１８の下側に嵌合配置される吐出ピストン１９とを備える。押圧部材１８は、外キャップ８の天壁１７に形成された開口１７ａを貫通する円筒状の外壁２０と、当該外壁２０の上端を塞ぐ上壁２１とで構成される。外壁２０の下端部には外側に突出する段差部２０ａが設けられており、天壁１７の内縁部に係合して、キャップ本体部９の内側上部に対して押圧部１０を抜け出し不能としている。
【００１９】
吐出ピストン１９は、押圧部材１８の外壁２０の内面に嵌合固定され、その上端が上壁２１の下面に当接する円筒状の嵌合壁部２２と、嵌合壁部２２の下端を塞ぐ封止壁２３と、嵌合壁部２２の上下方向中間部から外側に延びて、内筒１５の内面上部に対して液密に摺動可能な第１摺動部２４と、で構成されている。封止壁２３の内周側部分は、下方に向かって突出する有底円筒状の封止突起２５を形成している。
【００２０】
スポイト部１１は、スポイトキャップ３の装着状態で容器体２の内部に垂下するスポイト筒２６と、スポイト筒２６の上端に嵌合固定された吸い上げピストン２７と、スポイト筒２６の外周面に嵌合するパッキン２８とで構成されている。なお、本実施形態においてスポイト筒２６は直線状に延びて先端（下端）が先細り状とされているが、これに限られず、例えば先端が屈曲していたり、先端の外形が太くなっていたりしてもよい。
【００２１】
スポイト筒２６の上端部付近には、径が拡大した拡径部２６ａが設けられており、拡径部２６ａの下面がパッキン２８の上面に当接する。パッキン２８は、この拡径部２６ａと、その下側の凸部２６ｂによって抜け止め保持されている。また拡径部２６ａの外面には、外側に突出する係合部２９が設けられている。この係合部２９は、スポイトキャップ３を取り外した際に環状壁１４の内縁部１４ａに係合し、これによりスポイト部１０を内筒１５の内面下部に対して抜け出し不能としている。またパッキン２８は、容器体２に装着された際に、口部５上端と環状壁１４に挟持固定されて、口部５を封止するフランジ２８ａを有し、フランジ２８ａが口部５上端で挟持固定されることにより、装着状態においてスポイト筒２６はパッキン２８を介して容器体２に固定される。
【００２２】
吸い上げピストン２７は、上記の第１摺動部２４の下方で、内筒１５の内面下部に対して液密に摺動可能な第２摺動部３０を有する。また、内筒１５の内側には、吐出ピストン１９と吸い上げピストン２７とを相互に離反させる方向に付勢するスプリング３１が配置されている。また、本例では、図１に示す装着状態において、吐出ピストン１９の嵌合壁部２２の下端が、吸い上げピストン２７の上端に当接することで、押圧部１０がスポイト部１１に下方から支持されて押し下げ不能となっている。詳細には、容器体２の口部５上端に配置されたパッキン２８によってスポイト筒２６が下方から支持され、さらに、スポイト筒２６の上端に設けた吸い上げピストン２７に、吐出ピストン１９が下方から支持され、押圧部１０は押し下げ不能となる。
【００２３】
スポイト部１１には、スポイト筒２６内に連通する内側開口１１ａが形成されている。詳細には、内側開口１１ａは、吸い上げピストン２７に形成された環状リップ３２の内周縁によって形成されている。そして、前述した吐出ピストン１９の封止突起２５は、該封止突起２５の外周面と内側開口１１ａとの間に、図１に示す装着状態にて上下に連通する隙間Ｃを形成する一方、図２に示すように、スポイトキャップ３を容器体２から取り外した状態では、内側開口１１ａを封止するようになっている。前記隙間Ｃは、本例では、封止突起２５の外周面に形成された縦溝３３によって形成される。
【００２４】
なお、本実施形態において、外キャップ８及びスプリング３１は金属製とすることが好ましく、その他の部材は、例えば合成樹脂製とすることができる。
【００２５】
続いて、上記の構成を有するスポイト容器１の使用方法について説明する。なお、図１に示す装着状態において、スポイト筒２６の内部には内容液が吸い上げられていない。
【００２６】
図１の装着状態から、スポイトキャップ３を容器体２に対して螺脱すると、図２に示すように、スプリング３１に付勢されて吸い上げピストン２７が環状壁１４の内縁部１４ａに当接するまで下方へ移動する。これにより、スポイト筒２６の内部が負圧となるため、図２の矢印で示すように、スポイト筒２６の下端開口から内容液を吸い上げることができる。図１に示す装着状態から、スポイトキャップ３を取り外した際に、吸い上げピストン２７が下方移動する距離は常に一定であるため、予め設定した量の内容液を正確に吸い上げることができる。なお、この時、押圧部１０は、吐出ピストン１９がスプリング３１に付勢されるため下方へ移動せず、キャップ本体部９の上端位置で保持される。また、スポイトキャップ３が自動的に吸い上げる内容液の量は、係合部２９の上下位置を変更すること等により吸い上げピストン２７の移動距離を変更したり、内筒１５の内径を変更したりすることで、吸い上げ量を適宜設定することができる。
【００２７】
吸い上げた内容液は、図３に示すように、スプリング３１の反発力に抗して押圧部１０を押し下げることにより、スポイト筒２６の下端開口から吐出することができる。本実施形態においては、取り外したスポイトキャップ３の押圧部１０を最大まで押し下げると、吸い上げピストン２７の上面に吐出ピストン１９の嵌合壁部２２の下端が当接する。このため、スポイトキャップ３を取り外した際に吸い上げピストン２７が下方に移動する距離と、押圧部１０を最大まで押し下げた際に吐出ピストン１９が移動する距離が同一となる。
【００２８】
ここで、本実施形態において内筒１５は、吐出ピストン１９の第１摺動部２４が摺動する内面上部の内径が、吸い上げピストン２７の第２摺動部３０が摺動する内面下部の内径よりも大きくなっており、これに対応して、吐出ピストン１９の第１摺動部２４の外径が、吸い上げピストン２７の第２摺動部３０の外径よりも大きくなっている。このような構成により、図１に示す装着状態において吐出ピストン１９、吸い上げピストン２７及び内筒１５によって囲まれる空間Ｓ１の容積よりも、図３に示す押圧部１０を押し下げた状態において吐出ピストン１９、吸い上げピストン２７及び内筒１５によって囲まれる空間Ｓ２の容積の方が小さくなるようにできる。したがって、吸い上げる量よりも吐き出す量を大きくすることができるため、吸い上げた内容液を、より確実に、全て吐出することが可能となり、所期した量の内容液をより確実に取り出すことが可能となる。
【００２９】
また、本実施形態では、図２に示すようにスポイトキャップ３を容器体２から取り外した状態において、吐出ピストン１９の封止突起２５がスポイト部１１の内側開口１１ａを封止するようになっている。したがって、この状態から内容液を取り出すに際し、図４に示すように、スポイトキャップ３を９０°以上傾けた場合でも、吸い上げた内容液が、内側開口１１ａを越えて押圧部１０側に侵入し、スプリング３１に接触することを抑制することができる。したがって、スプリング３１を金属製とした場合でも、スプリング３１の腐食を生じる等の問題の発生を抑制することができる。また、押圧部１０側に侵入した内容液が、スポイトキャップ３を正立状態に戻したときに当該侵入部位に残留し、所期した量の内容液の取り出しに支障を生じるといった問題の発生も抑制することができる。
【００３０】
さらに、本実施形態では、吐出ピストン１９の封止突起２５の外周面に縦溝３３を設けることで隙間Ｃを形成するようにしたので、図３に示すように、押圧部１０を押し下げる際に、押圧部１０を第１摺動部２４のみならず、封止突起２５をも、内筒１５ないし内側開口１１ａに摺接するガイド部として機能させることができ、押圧部１０のスムーズな押し下げ（すなわち、押し下げ時に押圧部１０が傾かない）を可能にすることができる。
【００３１】
なお、本発明に従うスポイト容器は、上述した実施形態に限定されるものではなく、特許請求の範囲に従う範囲で種々の変更が可能であることは言うまでもない。
【符号の説明】
【００３２】
１  スポイト容器
２  容器体
３  スポイトキャップ
４  容器本体部
５  口部
６  外ねじ部
７  内キャップ
８  外キャップ
９  キャップ本体部
１０  押圧部
１１  スポイト部
１１ａ  内側開口
１２  内ねじ部
１３  外筒
１４  環状壁
１４ａ  内縁部
１５  内筒
１６  側壁
１７  天壁
１７ａ  開口
１８  押圧部材
１９  吐出ピストン
２０  外壁
２０ａ  段差部
２１  上壁
２２  嵌合壁部
２３  封止壁
２４  第１摺動部
２５  封止突起
２６  スポイト筒
２６ａ  拡径部
２６ｂ  凸部
２７  吸い上げピストン
２８  パッキン
２８ａ  フランジ
２９  係合部
３０  第２摺動部
３１  スプリング
３２  環状リップ
３３  縦溝
Ｃ  隙間
Ｓ１，Ｓ２  空間
【図１】
2015224071.tif 000003
【図２】
2015224071.tif 000004
【図３】
2015224071.tif 000005
【図４】
2015224071.tif 000006